(57)【要約】【課題】熟練がなくても擦る角度の調節が容易で、適度な刺激を与えることができる皮膚摩擦具を提供する。【解決手段】屈曲部３を境にした両側に第１片１と第２片２が設けられ、上記第１片１と上記第２片２のうち少なくとも一方に擦過部４が設けられている。このため、上記擦過部４を適切な角度で皮膚１３に擦りつけ、適度な摩擦刺激を与えることができる。すなわち、第１片１と第２片２のうち一方を把持するか屈曲部３を摘み、上記擦過部４を撫で勝手に皮膚１３に擦りつける。これにより、皮膚１３への適度な摩擦刺激を与えることができる。熟練を要することなく、誰でも適切な施術を行うことができる。また、力が入りすぎることがないため、上記擦過部４は刺激を減らす必要はない。したがって、誰でも効果的な摩擦刺激を与えることができる。【選択図】図１
2017104196.tif 000002
【特許請求の範囲】
【請求項１】
屈曲部を境にした両側に第１片と第２片が設けられ、上記第１片と上記第２片のうち少なくとも一方に擦過部が設けられていることを特徴とする皮膚摩擦具。
【請求項２】
板状体が屈曲成形されることにより、上記屈曲部および上記第１片ならびに上記第２片が形成されている請求項１記載の皮膚摩擦具。
【請求項３】
上記板状体が幅方向と長手方向を有し、上記長手方向に沿って上記屈曲部が設けられている請求項２記載の皮膚摩擦具。
【発明の詳細な説明】
【技術分野】
【０００１】
本発明は、主として人体の皮膚に摩擦を与えて神経や血管に刺激を与える皮膚摩擦具に関するものである。
【背景技術】
【０００２】
従来から鍼灸療法の一環として、皮膚に摩擦刺激を与えることが行われている。
【０００３】
特許文献１は、皮膚摩擦具に関するものであり、つぎの記載がある。
［課題を解決するための手段］
［０００５］本発明は、掌に握れる太さのロッド状の本体を設け、該本体の先端部に突起条を設け、該突起条の突起部を非尖鋭に形成したことを特徴とする皮膚の表面より神経や血管を刺激する皮膚摩擦具から構成される。
［発明の効果］
［０００６］本発明によると、掌で握れる太さのロッド状の本体（１）に形成するため、比較的楽に施術することができ、また、該本体（１）の先端部に突起条（２）を設け、該突起条（２）の突起部（２ａ）を非尖鋭に形成することにより、患者の皮膚を傷つけることなく、摩擦できることにより、衛生的であり、かつ、複数の患者を連続的に施術しても問題がない。
【先行技術文献】
【特許文献】
【０００４】
【特許文献１】特開２００５−２０４９２８号公報
【発明の開示】
【発明が解決しようとする課題】
【０００５】
上記特許文献１の皮膚摩擦具は、ロッド状の本体（１）を掌で握って施術する。施術はしやすいものの、つい力が入ってしまい、その調節が容易でない。皮膚に摩擦刺激を与える突起部（２ａ）が鋭いと、患者の皮膚を傷つけてしまう。このため、あえて突起部（２ａ）を非尖鋭に形成して刺激を減らしており、十分な刺激を与え難い。
また、擦る角度によって摩擦刺激の効果は変動し、効果的な摩擦刺激を与えられる角度範囲は決まっている。ところが、ロッド状の本体（１）を握って施術する特許文献１の皮膚摩擦具では、擦る角度を調節しにくく、効果的な摩擦刺激を与えるためには熟練が必要である。
【０００６】
本発明は、上記問題を解決するため、つぎの目的をもってなされた。
熟練がなくても擦る角度の調節が容易で、適度な刺激を与えることができる皮膚摩擦具を提供する。
【課題を解決するための手段】
【０００７】
請求項１に記載の皮膚摩擦具は、上記目的を達成するため、つぎの構成を採用した。
屈曲部を境にした両側に第１片と第２片が設けられ、上記第１片と上記第２片のうち少なくとも一方に擦過部が設けられている。
【０００８】
請求項２に記載の皮膚摩擦具は、請求項１に記載の構成に加えて、つぎの構成を採用した。
板状体が屈曲成形されることにより、上記屈曲部および上記第１片ならびに上記第２片が形成されている。
【０００９】
請求項３に記載の皮膚摩擦具は、請求項１または２に記載の構成に加えて、つぎの構成を採用した。
上記板状体が幅方向と長手方向を有し、上記長手方向に沿って上記屈曲部が設けられている。
【発明の効果】
【００１０】
請求項１に記載の皮膚摩擦具は、屈曲部を境にした両側の第１片と第２片のうち、少なくとも一方に擦過部を設けている。このため、上記擦過部を適切な角度で皮膚に擦りつけ、適度な摩擦刺激を与えることができる。すなわち、第１片と第２片のうち一方を把持するか屈曲部を摘み、上記擦過部を撫で勝手に皮膚に擦りつける。これにより、皮膚への適度な摩擦刺激を与えることができる。熟練を要することなく、誰でも適切な施術を行うことができる。また、力が入りすぎることがないため、上記擦過部は、特許文献１ほど刺激を減らす必要はない。したがって、誰でも効果的な摩擦刺激を与えることができる。
【００１１】
請求項２に記載の皮膚摩擦具では、板状体を屈曲成形して屈曲部、第１片および第２片を形成している。このため、材料の調達や製造が容易で、極めて安価なものになる。また、板状体の屈曲部を指の間に挟んで施術すればよい。このとき、上記擦過部を撫で勝手に皮膚に擦りつけ、力が入りすぎることがなく、皮膚に適度な摩擦刺激を与えることができる。このように、施術に熟練を要さず、誰でも適切で効果的な摩擦刺激を与えることができる。
【００１２】
請求項３に記載の皮膚摩擦具は、幅方向と長手方向を有する板状体の長手方向に沿って屈曲部を設けている。このため、板状体の屈曲部を指の間に挟んで施術すればよく、上記擦過部を撫で勝手に皮膚に擦りつけ、力が入りすぎることもない。また、一回の摩擦で刺激を与えることができる領域を広く確保できる。このように、施術に熟練を要さず、誰でも適切で効果的な摩擦刺激を与えることができる。
【図面の簡単な説明】
【００１３】
【図１】本発明の皮膚摩擦具の一実施形態を示す図であり、（Ａ）は平面図、（Ｂ）は正面図、（Ｃ）は背面図、（Ｄ）は底面図、（Ｅ）は右側面図である。
【図２】上記皮膚摩擦具を矢印Ｘ方向から見た参考図である。
【図３】上記皮膚摩擦具の使用状態の一例を示す参考図である。
【発明を実施するための形態】
【００１４】
つぎに、本発明を実施するための形態を説明する。
【００１５】
〔構造の説明〕
図１および図２は、本発明を具現化した一実施形態の皮膚摩擦具である。
この皮膚摩擦具は、大略トラック形状に形成した板状体を、長手方向に沿って屈曲成形することにより形成されている。
【００１６】
上記皮膚摩擦具を形成する板状体は、金属材料、樹脂材料等を用いて形成することができる。上記金属材料としては、特に限定するものではなく、たとえばアルミニウム、アルミニウム合金、銅、真鍮などの銅合金、鉄、ステンレスなどの鉄合金等を使用することができる。上記樹脂材料としては、特に限定するものではなく、たとえば各種の熱可塑性樹脂、熱硬化性樹脂、エポキシ系樹脂などを使用することができる。
【００１７】
上記板状体は、図示した例では大略トラック形状に形成されたものであり、幅方向Ｗと長手方向Ｌを有している。上記長手方向Ｌに沿って、上記幅方向Ｗの中央部を貫くように、上記屈曲部３が設けられている。
【００１８】
この皮膚摩擦具は、上述したように板状体が屈曲成形されることにより上記屈曲部３
が形成されるとともに、上記屈曲部３を境にした両側に第１片１と第２片２が形成されている。
【００１９】
そして、上記第１片１と上記第２片２のうち少なくとも一方に擦過部４が設けられる。
【００２０】
上記擦過部４は、上記第１片１と上記第２片２の双方に設けることもできる。この場合、上記第１片１と上記第２片２の長手方向Ｌに沿う両方の側縁を擦過部４として機能させる。このようにすることにより、第１片１側で摩擦したり、第２片２側で摩擦したり、施術する部位に応じて切り換えて使用でき、使い勝手がよくなる。
【００２１】
この例では、皮膚摩擦具の外周縁の全周を擦過部４として機能させている。このようにすることにより、使用する擦過部４の領域を変えることで、摩擦の幅や強さを自由に変えて摩擦刺激を与えることができる。施術する部位や目的に応じて切り換えて使用でき、使い所の幅が広がる。
【００２２】
図示した例では、上記板状体の長手方向Ｌの長さは約５５ｍｍに設定されている。また、上記第１片１および上記第２片２の幅寸法は、それぞれ約１５ｍｍに設定されている。上記第１片１および上記第２片２の両端部には、それぞれ半径約１５ｍｍのアールが設けられている。上記第１片１および上記第２片２には、それぞれ長手方向Ｌに沿う約３９ｍｍの直線部が設けられる。
【００２３】
上記板状体の厚みは約０．５ｍｍに設定され、全周にわたって設けられた擦過部４には、半径約０．２５ｍｍのアールが設けられている。
【００２４】
上記屈曲部３の角度は、下限値で８０°〜９０°程度、上限値で１２０°〜１３０°程度の範囲内に設定するのが好ましい。図示した例では９０°に設定している。また、上記屈曲部３は、内側面で半径約５ｍｍのアールが設けられている。
【００２５】
〔使用方法の説明〕
図３は、上記皮膚摩擦具の使用方法を説明する図である。
【００２６】
図３（Ａ）は、第１片１の直線部である領域Ａを使用して摩擦刺激を行う状態である。この例では、第１片１と第２片２のうち一方を把持するか屈曲部３を摘む。図示した例では、第２片２の屈曲部３近傍を、人差し指１１と中指１２の間に挟んでいる。この状態で、第１片１の直線部である領域Ａを皮膚１３に当接させ、矢印Ｙに示すように屈曲部３側に向かって移動させる。これにより、上記擦過部４を撫で勝手に皮膚１３に擦りつけ、皮膚１３への適度な摩擦刺激を与えることができる。
【００２７】
図３（Ｂ）は、第１片１の曲線部である領域Ｂを使用して摩擦刺激を行う状態である。この例では、屈曲部３の凹部側に指を当てて摘むようにして皮膚摩擦具を把持するか、第１片１と第２片２のうち一方を親指・人差し指・中指で掴む。その状態で、第１片１の曲線部である領域Ｂを皮膚１３に当接させ、矢印Ｙに示すように第１片１側に向かって傾けて移動させる。これにより、上記擦過部４を撫で勝手に皮膚１３に擦りつけ、皮膚１３への適度な摩擦刺激を与えることができる。図３（Ａ）より少し強めの摩擦刺激を与えることができる。
【００２８】
図３（Ｃ）は、屈曲部３の凸面側である領域Ｃを使用して摩擦刺激を行う状態である。この例では、屈曲部３の凹部側に指を当てて摘むようにして皮膚摩擦具を把持するか、第１片１と第２片２のうち一方を親指・人差し指・中指で掴む。その状態で、屈曲部３の凸面側である領域Ｃを皮膚１３に当接させ、矢印Ｙに示すように屈曲部３の凸面側に向かって傾けて移動させる。これにより、上記擦過部４を撫で勝手に皮膚１３に擦りつけ、皮膚１３への適度な摩擦刺激を与えることができる。図３（Ｂ）よりさらに強めの摩擦刺激を与えることができる。
【００２９】
このように、持つ部位を変え、摩擦に使用する領域を変えることにより、摩擦の幅・角度・強さを自由に調節しながら摩擦刺激を与えることができる。
【００３０】
〔作用効果〕
以上に述べた実施形態では、つぎの作用効果を奏する。
【００３１】
本実施形態の皮膚摩擦具は、屈曲部３を境にした両側の第１片１と第２片２のうち、少なくとも一方に擦過部４を設けている。このため、上記擦過部４を適切な角度で皮膚に擦りつけ、適度な摩擦刺激を与えることができる。すなわち、第１片１と第２片２のうち一方を把持するか屈曲部３を摘み、上記擦過部４を撫で勝手に皮膚１３に擦りつける。これにより、皮膚１３への適度な摩擦刺激を与えることができる。熟練を要することなく、誰でも適切な施術を行うことができる。また、力が入りすぎることがないため、上記擦過部４は、特許文献１ほど刺激を減らす必要はない。したがって、誰でも効果的な摩擦刺激を与えることができる。
【００３２】
本実施形態の皮膚摩擦具では、板状体を屈曲成形して屈曲部３、第１片１および第２片２を形成している。このため、材料の調達や製造が容易で、極めて安価なものになる。また、板状体の屈曲部３を指の間に挟んで施術すればよい。このとき、上記擦過部４を撫で勝手に皮膚１３に擦りつけ、力が入りすぎることがなく、皮膚１３に適度な摩擦刺激を与えることができる。このように、施術に熟練を要さず、誰でも適切で効果的な摩擦刺激を与えることができる。
【００３３】
本実施形態の皮膚摩擦具は、幅方向と長手方向を有する板状体の長手方向に沿って屈曲部３を設けている。このため、板状体の屈曲部３を指の間に挟んで施術すればよく、上記擦過部４を撫で勝手に皮膚１３に擦りつけ、力が入りすぎることもない。また、一回の摩擦で刺激を与えることができる領域を広く確保できる。このように、施術に熟練を要さず、誰でも適切で効果的な摩擦刺激を与えることができる。
【００３４】
〔変形例〕
以上は本発明の特に好ましい実施形態について説明したが、本発明は図示した実施形態に限定する趣旨ではなく、各種の態様に変形して実施することができ、本発明は各種の変形例を包含する趣旨である。
【符号の説明】
【００３５】
１：第１片
２：第２片
３：屈曲部
４：擦過部
１１：人差し指
１２：中指
１３：皮膚
【図１】
2017104196.tif 000003
【図２】
2017104196.tif 000004
【図３】
2017104196.tif 000005